(57)【要約】【課題】腐食による強度低下を抑制した落下防止部材及びそれを用いた照明器具を提供する。【解決手段】落下防止部材１の両端は照明器具と固定部位とにそれぞれ取り付けられ、照明器具の落下を防止するために用いられる。落下防止部材１は、非鉄材料のワイヤ２と、ワイヤ２の端部をループ状に曲げた部位が挿入された状態で圧着されることによって、ワイヤ２の端部にループ部４を形成する圧着スリーブ３と、耐食性の保護層５とを備える。耐食性の保護層５は、酸化被膜層６及び酸化被膜層６の表面に形成されたセラミック焼成層７からなり、圧着スリーブ３の表面を少なくとも覆うように形成されている。【選択図】図１
2014135177.tif 000002
【特許請求の範囲】
【請求項１】
両端が照明器具と固定部位とにそれぞれ取り付けられる落下防止部材であって、
非鉄材料のワイヤと、
前記ワイヤの端部をループ状に曲げた部位が挿入された状態で圧着されることによって、前記ワイヤの端部にループ部を形成する非鉄材料の圧着スリーブと、
前記圧着スリーブの表面を少なくとも覆うように形成された耐食性の保護層とを備えることを特徴とする落下防止部材。
【請求項２】
前記保護層が、前記圧着スリーブによる圧着部分の表面、及び、前記ループ部の表面をそれぞれ覆うように形成されたことを特徴とする請求項１記載の落下防止部材。
【請求項３】
請求項１又は２の何れか一項に記載の落下防止部材と、光源を保持する器具本体を備え、
前記ワイヤの一端側に設けられた前記ループ部が第１固定具を介して前記器具本体に固定され、前記ワイヤの他端側に設けられた前記ループ部が第２固定具を介して前記固定部位に固定されたことを特徴とする照明器具。
【発明の詳細な説明】
【技術分野】
【０００１】
本発明は、落下防止部材及びそれを用いた照明器具に関するものである。
【背景技術】
【０００２】
従来、天井などの高所に設置して用いられる照明器具があり、このような照明器具では、多重の安全対策を図るために落下防止部材が照明装置に取り付けられていた（例えば特許文献１参照）。
【０００３】
特許文献１に開示された落下防止部材は金属製のワイヤからなり、ワイヤの端部を環状にした状態で円筒状のスリーブを被せ、このスリーブを押し潰すことで、ワイヤの両端に環状部が形成されている。一方の環状部は天井裏の梁に引っ掛けられ、他方の環状部はコイルばねを介して照明装置本体に連結されており、照明装置本体を天井に固定する手段が外れたとしても、ワイヤを介して照明装置本体が天井から吊り下げられ、床面まで落下しないようにしている。
【先行技術文献】
【特許文献】
【０００４】
【特許文献１】特開２００３−３０８７１９号公報
【発明の概要】
【発明が解決しようとする課題】
【０００５】
ところで、上記特許文献１に記載された照明装置が塩害地域や薬品工場や屋内プールなどの腐食環境で使用される場合でも、ワイヤはステンレス鋼で形成されているので、ワイヤの腐食は進行しにくく、ワイヤ自体は十分な強度を保持できる。しかしながら、スリーブには圧着時に加えられた応力が残留しているため、腐食環境下で使用された場合、ワイヤに比べてスリーブの腐食が進行しやすく、スリーブの腐食によって落下防止部材の強度が低下する可能性があった。
【０００６】
本発明は上記課題に鑑みて為されたものであり、その目的とするところは、腐食による強度の低下を抑制した落下防止部材及びそれを用いた照明器具を提供することにある。
【課題を解決するための手段】
【０００７】
本発明の落下防止部材の両端は照明器具と固定部位とにそれぞれ取り付けられる。落下防止部材は、非鉄材料のワイヤと、ワイヤの端部をループ状に曲げた部位が挿入された状態で圧着されることによって、ワイヤの端部にループ部を形成する圧着スリーブと、耐食性の保護層とを備える。保護層は、圧着スリーブの表面を少なくとも覆うように形成されている。
【０００８】
この落下防止部材において、保護層が、圧着スリーブによる圧着部分の表面、及び、ループ部の表面をそれぞれ覆うように形成されることも好ましい。
【０００９】
本発明の照明器具は、上記の落下防止部材と、光源を保持する器具本体を備え、ワイヤの一端側に設けられたループ部が第１固定具を介して固定部位に固定され、ワイヤの他端側に設けられたループ部が第２固定具を介して器具本体に固定されることを特徴とする。
【発明の効果】
【００１０】
本発明の落下防止部材によれば、圧着スリーブによる圧着部分の表面が耐食性の保護層で覆われているので、腐食環境下で使用される場合でも圧着スリーブの腐食が進みにくく、落下防止部材の強度の低下を抑制することができる。
【００１１】
本発明の照明器具によれば、強度の低下が抑制された落下防止部材を用いて、器具本体が固定部位に固定されているので、照明器具の安全性が向上する。
【図面の簡単な説明】
【００１２】
【図１】本実施形態の落下防止部材を示し、（ａ）は平面図、（ｂ）は要部の背面図、（ｃ）はＡ−Ａ線断面図である。
【図２】同上の落下防止部材を使用する照明器具の施工状態図である。
【発明を実施するための形態】
【００１３】
以下に本発明の実施の形態を図１及び図２に基づいて説明する。
【００１４】
図１（ａ）は落下防止部材１の全体を示す平面図、図１（ｂ）は落下防止部材１の端部を示す背面図、図１（ｃ）はＡ−Ａ線断面図である。
【００１５】
落下防止部材１は、例えばステンレス鋼線を所望の長さに切断して形成されたワイヤ２と、ワイヤ２の端部をループ状に曲げた状態で圧着固定する圧着スリーブ３を備える。尚、ワイヤ２はステンレス鋼で形成されているが、非鉄材料であればステンレス鋼以外の材料で形成されていてもよい。
【００１６】
圧着スリーブ３は例えばステンレス鋼により円筒状に形成されている。圧着スリーブ３の内径は、筒内にワイヤ２が２本分挿入できる程度の寸法に形成されている。圧着スリーブ３はステンレス鋼で形成されており、ステンレス鋼などの非鉄材料で形成されることによって、圧着スリーブ３が鉄で形成される場合に比べて耐食性が向上する。尚、圧着スリーブ３はステンレス鋼で形成されているが、ステンレス鋼以外の非鉄材料で形成されていてもよい。
【００１７】
この落下防止部材１を組み立てるにあたっては、作業者が、圧着スリーブ３の筒内に軸方向の一端側からワイヤ２を挿入し、圧着スリーブ３の軸方向他端側から露出するワイヤ２の先端側をループ状に曲げ、その先端部２ａを圧着スリーブ３の筒内に戻し入れる。そして、作業者は、ワイヤ２の先端部２ａを圧着スリーブ３の軸方向一端側から僅かに露出させた状態で、圧着工具（図示せず）を用いて圧着スリーブ３をかしめることによって、圧着スリーブ３の筒内に挿入されたワイヤ２を固定する。
【００１８】
このようにして、ワイヤ２の両端部にループ部４が形成された後、作業者は、圧着スリーブ３による圧着部分及びループ部４に、防錆、防食のための保護層５（後述の酸化被膜層６及びセラミック焼成層７からなる）を形成する。先ず、作業者は、圧着スリーブ３による圧着部分よりも先端側（図１中のＢ部）をめっき槽に入れ、電気亜鉛めっき法により圧着スリーブ３の表面及びループ部４の表面に、亜鉛めっき層からなる酸化被膜層６を形成する。次に、作業者は、密着性を向上させるために酸化被膜層６に化成処理を施し、酸化被膜層６の表面にセラミック系材料を浸漬塗装した後、加熱することによってセラミック焼成層７を形成する。図１（ｃ）は圧着スリーブ３による圧着部分の断面図であり、圧着スリーブ３の筒内にはワイヤ２との隙間にめっき材料が入り込み、酸化被膜層６が形成されている。また圧着スリーブ３の外周にも、亜鉛めっきからなる酸化被膜層６が形成され、その表面にセラミック系材料によるセラミック焼成層７が形成されている。また、ワイヤ２の端部のループ部４にも、表面に亜鉛めっきの酸化被膜層６が形成され、酸化被膜層６の外側にはセラミック焼成層７が形成されている。
【００１９】
この落下防止部材１は、図２に示すように、天井２０に設置される投光器１０の落下を防止するために使用される。
【００２０】
投光器１０は、光源（図示せず）及びその点灯回路（図示せず）を保持する箱状のケース１１を備え、このケース１１はアーム１２を介して天井２０から吊り下げられている。ケース１１の下側には、光源からの光を反射して配光を制御する反射鏡１３が取り付けられている。アーム１２に対するケース１１の取付角度は、アーム１２の軸１２ａの周りに調節自在となっており、ケース１１の向きを変えることで、光源からの光を所望の方向に照射させることができる。
【００２１】
ここで、落下防止部材１の一端は投光器１０に取り付けられ、落下防止部材１の他端は天井２０に取り付けられている。すなわち、落下防止部材１の一端側のループ部４にボルト１４が通され、ボルト１４がアーム１２のネジ孔（図示せず）にねじ込まれることによって、ボルト１４の頭部とアーム１２との間にループ部４が挟持され、落下防止部材１の一端がアーム１２に固定される。また、天井２０には投光器１０の設置場所付近に埋込ボルト２１の基部が埋め込まれており、この埋込ボルト２１にはナット２２がねじ込まれている。この埋込ボルト２１に落下防止部材１の他端側のループ部４が通され、埋込ボルト２１にナット２３がねじ込まれることによって、２個のナット２２，２３の間にループが挟持され、落下防止部材１の他端が天井２０に固定される。ここにおいて、アーム１２にねじ込まれるボルト１４から、ワイヤ２の一端側に設けられたループ部４を、器具本体（ケース１１及びアーム１２からなる）に固定する第１固定具が構成される。また、埋込ボルト２１とナット２２，２３とで、ワイヤ２の他端側に設けられたループ部４を固定部位（例えば天井２０など）に固定する第２固定具が構成される。尚、本実施形態では第１固定具及び第２固定具がボルトなどで構成されているが、ループ部４を固定部位或いは器具本体に固定できるものであれば、適宜変更が可能である。
【００２２】
このように、落下防止部材１の一端は投光器１０に取り付けられ、落下防止部材１の他端は天井２０に取り付けられている。これにより、アーム１２が天井２０から脱落した場合でも、アーム１２は落下防止部材１によって天井２０から吊り下げられるから、投光器１０の落下を防止できる。
【００２３】
以上説明したように、本実施形態の落下防止部材１は、両端が投光器１０と天井２０（固定部位）とにそれぞれ取り付けられて使用される。この落下防止部材１は、非鉄材料のワイヤ２と、ワイヤ２の端部をループ状に曲げた部位が挿入された状態で圧着されることによって、ワイヤ２の端部にループ部４を形成する圧着スリーブ３とを備える。そして、圧着スリーブ３の表面を少なくとも覆うように耐食性の保護層５が形成されている。
【００２４】
圧着時の応力が残留している圧着スリーブ３はワイヤ２に比べて腐食が進行しやすいが、耐食性の保護層５が圧着スリーブ３の表面を覆っているから、落下防止部材１が腐食環境下で使用された場合でも、圧着スリーブ３の腐食が進行しにくくなる。よって、塩害地域、薬品工場、化学工場、屋内プールなどの腐食性が強い腐食環境下（例えばアンモニアの存在下）で落下防止部材１が使用される場合でも、圧着スリーブ３の腐食が進みにくくなり、経年による強度の低下を抑制することができる。
【００２５】
また、ワイヤ２と圧着スリーブ３の材料が異なる場合、ワイヤ２の素地と圧着スリーブ３の素地が直接接触していると、電気化学的腐食が発生する可能性があるが、本実施形態では、圧着スリーブ３の筒内においてワイヤ２との隙間に酸化被膜層６が形成されている。したがって、ワイヤ２の素地と圧着スリーブ３の素地とが直接接触することはなく、電気化学的腐食を抑制できる。
【００２６】
また本実施形態では、耐食性の保護層５が圧着スリーブ３の表面とループ部４とを覆うように設けられており、保護層５によってループ部４の腐食も抑制されるから、落下防止部材１の強度の低下をさらに抑制できる。また、照明器具１０のケース１１の材料とワイヤ２の材料とが異なる場合には、ケース１１の素地がワイヤ２の素地に直接接触していると、電気化学的腐食が生じる可能性があるが、ワイヤ２のループ部４も保護層５で覆われているので、電気化学的腐食の発生を抑制できる。同様に、天井２０の固定部位（すなわち埋込ボルト２１及びナット２２，２３）の材料とワイヤ２の材料とが異なる場合でも、ワイヤ２のループ部４が酸化被膜層６で覆われているので、ワイヤ２と固定部位との接触部分での電気化学的腐食の発生を抑制できる。
【００２７】
また本実施形態では、ワイヤ２において圧着スリーブ３による圧着部分の間の部位（図１（ａ）のＣ部）には、ワイヤ２が曲がることによってめっき層が剥がれる可能性があることから、保護層６は形成されていないが、この部位Ｃに保護層６が形成されてもよい。
【００２８】
尚、本実施形態では圧着スリーブ３の表面を覆う酸化被膜層６を形成し、さらに酸化被膜層６の表面を覆うセラミック焼成層７が形成されているので、保護層５が１層のみの場合に比べて耐食性能が向上するが、保護層５を１層のみで構成してもよい。
【００２９】
また、本実施形態の照明器具は、落下防止部材１と、光源を保持する器具本体（ケース１１及びアーム１２からなる）を備えている。ワイヤ２の一端側に設けられたループ部４は第１固定具（例えばボルト１４）を介して固定部位（例えば天井２０）に固定され、ワイヤ２の他端側に設けられたループ部４は第２固定具（例えば埋込ボルト２１及びナット２２，２３）を介して器具本体に固定される。このように、強度の低下が抑制された落下防止部材１を用いて、器具本体が固定部位に固定されているので、照明器具が落下する可能性を低減でき、照明器具の安全性を向上させることができる。
【００３０】
尚、本実施形態では照明器具として投光器１０を例示したが、落下防止部材１を用いる照明器具は投光器１０に限定されるものではなく、高所（天井や壁の上部や支柱など）に設置される各種の照明器具（例えば街路灯やトンネル内の照明器具）に適用が可能である。
【符号の説明】
【００３１】
１  落下防止部材
２  ワイヤ
２ａ  先端部
３  圧着スリーブ
４  ループ部
５  保護層
６  酸化被膜層
７  セラミック焼成層
１０  投光器（照明器具）
２０  天井
２１  埋込ボルト（固定部位）
２２，２３  ナット
【図１】
2014135177.tif 000003
【図２】
2014135177.tif 000004